(57)【要約】【課題】  家庭での使用に際し、収納などの取扱いに優れるとともに、牽引治療の際に錘によって体が引き摺られる虞がない腰椎牽引装置の提供。【解決手段】  牽引用の錘１８を支持するベースフレーム１２と、ベースフレーム１２の一辺側に立設され、錘１８を吊り下げるローブをガイドする滑車２４を備えた門型フレーム１４と、ベースフレーム１２の対向する一辺側に回動自在に設けられたパイプフレーム１６とを具備し、パイプフレーム１６は収納時にベースフレーム１２側に回動させて折り畳み可能であるとともに、使用時にはベースフレーム１２の逆側に回動させることによってベースフレーム１２から延出し、パイプフレーム１６は使用者の身長に合わせて長さを調節可能であり、使用者の脇の下を支える保持部３２を後端部に備えている。【選択図】        図１
0003124175.tif 000002
【実用新案登録請求の範囲】
【請求項１】
牽引用の錘を載置する天板を有するベースフレームと、
前記ベースフレームの一辺に立設され、前記錘を吊り下げるローブをガイドする滑車を水平部に備えた門型フレームと、
前記ベースフレームの前記門型フレームに対向する一辺に蝶番機構で接続されたＵ字型のパイプフレームと、
前記パイプフレームの二つの先端部から延出し、その先端部に使用者の脇の下を支える保持部を有する２本のパイプ材とを備え、前記２本のパイプ材の延出長さを調節可能とするとともに、収納時に前記Ｕ字型のパイプフレームを前記門型フレームの水平部側へ回動可能としたことを特徴とする腰椎牽引装置。
【請求項２】
前記ベースフレームに移動用のキャスタが設けられていることを特徴とする請求項１に記載の腰椎牽引装置。
【請求項３】
前記保持部を前記パイプ材の外側と内側のいずれにも取り付け可能としたことを特徴とする請求項１又は２に記載の腰椎牽引装置。
【考案の詳細な説明】
【技術分野】
【０００１】
本考案は、腰椎牽引装置に係り、特に家庭で簡易に治療を行うのに好適な腰椎の治療を行う牽引装置に関する。
【背景技術】
【０００２】
椎間板ヘルニアや腰椎分離症等に伴う腰痛を抱える患者にとって、その治療は切実な問題であり、軽症の場合であっても整形外科病院への定期的な通院を余儀なくされるなど、生活上大きな支障となる場合が多い。従来、このような腰痛の治療法の一つとして、牽引治療があるが、この牽引治療を行う装置としては、電動式間欠牽引治療装置やベッドを利用した重錘式持続牽引装置などが存在する。これらのうち、特に前者の電動式の治療装置は主として病院などでの使用を目的としたものであり、家庭での治療は想定されていない場合がほとんどである。また、後者のベッドの使用を前提とした治療装置は、使用のたびごとにベッドへの取り付け・取り外しを要するなど、使用に際し手間がかかるといった問題がある。
【０００３】
一方、家庭での治療に際し、ベッドがなくても腰痛の牽引治療を行うことができるようにするために、実公昭61-25456号公報記載の骨盤牽引装置が提案されている。同公報記載の骨盤牽引装置は持ち運び等を容易にするために、上体側ベースパイプと、下肢側ベースパイプ等とを備え、ベースパイプに対して脱着自在に取り付けられた鳥居型スタンドの水平パイプの両端から吊り下げ用滑車を介して、患者の腰椎を牽引するための骨盤牽引バンドが接続された錘（おもり）を吊り下げるようになっている。同考案によれば、構造が簡単且つ軽量であり、持ち運びや取り扱いに利便性を有する等の効果を奏するとされている。
【特許文献１】実公昭61-25456号公報
【考案の開示】
【考案が解決しようとする課題】
【０００４】
しかしながら、前述した文献１記載の考案は、確かに構造が簡単化されている利点を有するものの、収納に際しては上体側ベースパイプ、下肢側ベースパイプや鳥居型スタンド等の脱着作業をその都度行う必要があり、収納作業に手間を要するという課題がある。また、錘を重くして牽引力を強くした場合に、患者が錘によって引き摺られる可能性もあり、牽引治療に支障を来たす場合も予測される。
【０００５】
本考案は、このような諸事情に対処するために提案されたものであって、家庭での使用に際し、収納などの取扱いに優れるとともに、牽引治療の際に錘によって体が引き摺られる虞がなく、適度な治療効果を得ることの可能な腰椎牽引装置を提供することを目的とする。
【課題を解決するための手段】
【０００６】
上記目的を達成するために、請求項１記載の考案は、牽引用の錘を載置する天板を有するベースフレームと、前記ベースフレームの一辺に立設され、前記錘を吊り下げるローブをガイドする滑車を水平部に備えた門型フレームと、前記ベースフレームの前記門型フレームに対向する一辺に蝶番機構で接続されたＵ字型のパイプフレームと、前記パイプフレームの二つの先端部から延出し、その先端部に使用者の脇の下を支える保持部を有する２本のパイプ材とを備え、前記２本のパイプ材の延出長さを調節可能とするとともに、収納時に前記Ｕ字型のパイプフレームを前記門型フレームの水平部側へ回動可能としたことを特徴とする。
【０００７】
請求項２記載の考案は、上記１項において、前記ベースフレームに移動用のキャスタが設けられていることを特徴とする。
【０００８】
請求項３記載の考案は、上記１項又は２項において、前記保持部を前記パイプ材の外側と内側のいずれにも取り付け可能としたことを特徴とする。
【考案の効果】
【０００９】
上述のように、請求項１記載の考案によれば、パイプフレームは収納時に門型フレームの水平部側へ回動させて折り畳んで収納することができるので、不使用時における収納スペースを小さくすることができ、スペース効率に優れるという利点がある。
また、パイプフレームから延出するパイプ材は使用者の身長に合わせて長さの調節可能であるとともに、使用者の脇の下を支える保持部を備えているので、使用中に錘の作用によって使用者の体がずれたりすることもなく、牽引治療を確実に実施することができる。
【００１０】
特に、請求項２記載の考案によれば、ベースフレームに移動用のキャスタを設けているので、装置全体を容易に移動させることができ、取扱いに優れている。
【００１１】
特に、請求項３記載の考案によれば、使用者の脇の下を支える保持部を、パイプ材の外側と内側のいずれにも取り付け可能としているので、使用者の体格などに応じて、保持部の位置を適宜選択することができ、牽引時における体の保持をより確実に行うことができる。
【考案を実施するための最良の形態】
【００１２】
以下、本考案に係る腰椎牽引装置について添付図面を参照して説明する。図１は本考案の一つの実施形態に係る腰椎牽引装置の概略斜視図、図２は本実施形態に係る腰椎牽引装置の側面図、図３は本実施形態の腰椎牽引装置の平面図、図４は本実施形態の腰椎牽引装置の立面図、図５は本実施形態に係る腰椎牽引装置の収納時並びに使用時の状態を示した側面図である。
【００１３】
図１及び図２に示されるように、本実施形態の腰椎牽引装置１０は、ベースフレーム１２と、門型フレーム１４と、パイプフレーム１６、１６、錘１８，１８等とを主要な構成要素としている。図３にも示されるように、ベースフレーム１２は、角パイプを組み合わせることによって平面四角形状をなし、装置の未使用時に錘１８，１８が載置される天板２０が取り付けられている。
【００１４】
また、図２にも示されるように、ベースフレーム１２の一辺側には、門型フレーム１４が、ベースフレーム１２の内側にやや傾けて立設されている。図４に示されるように、ベースフレーム１２の下面側には、４個のキャスタ２１，２１・・が取り付けられ、ベースフレーム１２を容易に移動させることができるようになっている。
【００１５】
図１に示されるように、門型フレーム１４は、３本のパイプ材を組み合わせることによって形成され、ベースフレーム１２の内側に傾斜して立設されている柱部１４Ａ，１４Ａと、柱部１４Ａ，１４Ａ間に架設された水平部１４Ｂとから構成されている。水平部１４Ｂには、錘１８，１８を吊り下げる際に使用するロープ２２，２２をガイドする滑車２４，２４が取り付けられている。
【００１６】
ベースフレーム１２上で門型フレーム１４に対向する一辺側には、Ｕ字型のパイプフレーム１６が蝶番２６，２６によって回動自在に取り付けられており、図５（Ａ）に示されるように、門型フレーム１４側に立て掛けて収納状態とすることができるようになっている。使用時は、図５（Ｂ）の矢印に示されるように、回動させることが可能である。
【００１７】
図３に示されるように、パイプフレーム１６は、ベースフレーム１２上の門型フレーム１４と対向する一辺側に、回動可能に取り付けられている固定パイプ１６Ａ，１６Ａと、可動パイプ（パイプ材）１６Ｂ，１６Ｂとを備え、固定パイプ１６Ａ，１６Ａ間には補強パイプ１６Ｃが連結されている。また、ベースフレーム１２には、使用に際してパイプフレーム１６を回動させたときに、パイプフレーム１６が不用意に回動しないようにするために、ロック部材２７が設けられている。このロック部材２７は、角パイプの内側にスライド可能な破線で示される棒材２７Ａを、パイプの内側に沿ってパイプフレーム１６側へ移動させることにより、パイプフレーム１６を固定して回動しないようにするものである。
【００１８】
図５（Ｃ）に示されるように、固定パイプ１６Ａには、その内側に対し、細径の可動パイプ１６Ｂが伸縮自在に挿入される形で取り付けられている。図２並びに図３に示されるように、固定パイプ１６Ａには１箇所、並びに可動パイプ１６Ｂには複数箇所に、ピン２８を挿入するロック孔３０が穿設されており、使用者の身長に合わせて可動パイプ１６Ｂを、所望の伸縮位置にてピン２８によって固定することができるようになっている。可動パイプ１６Ｂの後端部には、使用者の脇の下に挿入することによって、使用者の体がずれないように支える円柱状の保持部３２が、可動パイプ１６Ｂの外側で、且つ上向きに取り付けられている。
【００１９】
前述した本実施形態の腰椎牽引装置を使用する場合の作用は以下の通りとなる。図６は使用時の状態を示した側面図である。同図に示されるように、使用に際しては、ベースフレーム１２の天板２０上に、使用者の脚のかかとを載せた状態で、保持部３２を脇の下に挿入し、体がずれない様に保持する。この際、可動パイプ１６Ｂは、固定パイプ１６Ａに対し、使用者の身長に合わせて所望の位置に、ピン２８によって固定しておく。使用者の腰には、腰椎の部分を保持する腰椎バンド３４を取り付け、この腰椎バンド３４に２箇所設けられている金具３４Ａ，３４Ａに、ロープ２２，２２の一方側の端部を連結する。
【００２０】
前述したように、ローブ２２，２２の他方側には錘１８，１８が取り付けられており、ロープ２２を門型フレーム１４の滑車２４，２４によってベースフレーム１２の方へガイドして、錘１８，１８により腰椎バンド３４を介して使用者の腰椎に牽引力を作用させる。腰椎の牽引中は、使用者の体は、保持部３２によって脇の下が支えられているために、錘１８によって牽引された際に、ベースフレーム１２側へずれることなく、体全体を一定の位置に保持したまま牽引治療を行うことが可能となっている。また、柱部１４Ａ，１４Ａは、ベースフレーム１２側へやや傾けて、立設されているため、錘１８，１８は天板２０上に常に位置し、使用後に錘１８を下ろす際にも天板２０上へスムーズに載置させることができる。
【００２１】
一方、使用後は、図５（Ａ）に示されるように、可動パイプ１６Ｂを固定パイプ１６Ａに挿入して、パイプフレーム１６全体を最も短くした後、蝶番２６によって門型フレーム１４側に回動させ、立て掛けて収納する。このため、使用しないときは、場所をとらずに済むといった利点を有する。また、ベースフレーム１２の下側にはキャスタ２１が取り付けられているので、装置全体の移動をスムーズに行うことが可能であり、室内での取扱いを容易に行うことができる。
【００２２】
以上のように、本実施形態によれば、未使用時には、図５（Ａ）に示されるように、パイプフレーム１６を門型フレーム１４側に立てかけて収納することができるので、場所をとらず、又、キャスタ２１によって収納箇所へ容易に移動させることができ、取扱いが非常に容易となる利点がある。また、図５（Ｃ）に示されるように、可動パイプ１６Ｂは、伸縮することができるので、使用者の身長に合わせて最適なポジションで牽引治療を行うことが可能である。さらに、保持部３２によって牽引治療時に使用者の体を一定位置に保持することができ、体がずれるなどの問題がなく、確実な牽引治療を行うことができるメリットがある。
【００２３】
なお、本実施形態では、ベースフレーム１２、門型フレーム１４、パイプフレーム１６について、角パイプを利用して製作しているが、これに限らず、丸パイプなどを使用して製作することも可能である。また、錘１８については、２個使用しているが、これに限らず１個にすることも可能である。
さらに、本実施形態では、保持部３２を、可動パイプ（パイプ材）１６Ｂの外側に取り付けているが、これに限らず内側に取り付ける、或いは取外し自在として、可動パイプ１６Ｂの内側又は外側に取付可能とすることも可能である。これによれば、使用者の体格や好みに合わせて、脇の下を支えることができ、使い勝手が向上する。
【産業上の利用可能性】
【００２４】
以上説明したように、本考案によれば、家庭での使用に際し、収納性に優れているとともに、牽引治療を効果的、且つ円滑に実施することが可能となる。
【図面の簡単な説明】
【００２５】
【図１】本考案の一つの実施形態に係る腰椎牽引装置の概略斜視図である。
【図２】同じく、本実施形態に係る腰椎牽引装置の側面図である。
【図３】同じく、本実施形態の腰椎牽引装置の平面図である。
【図４】同じく、本実施形態の腰椎牽引装置の立面図である。
【図５】同じく、本実施形態に係る腰椎牽引装置の収納時並びに使用時の状態を示した側面図である。
【図６】同じく、本実施形態に係る腰椎牽引装置の使用時の状態を示した側面図である。
【符号の説明】
【００２６】
１０  腰椎牽引装置
１２  ベースフレーム
１４  門型フレーム
１４Ａ  柱部
１４Ｂ  水平部
１６  パイプフレーム
１６Ａ  固定パイプ
１６Ｂ  可動パイプ
１６Ｃ  補強パイプ
１８  錘
２０  天板
２１  キャスタ
２２  ロープ
２４  滑車
２６  蝶番
２７  ロック部材
２７Ａ  棒材
２８  ピン
３０  ロック孔
３２  保持部
３４  腰椎バンド
【図１】
0003124175.tif 000003
【図２】
0003124175.tif 000004
【図３】
0003124175.tif 000005
【図４】
0003124175.tif 000006
【図５】
0003124175.tif 000007
【図６】
0003124175.tif 000008